(57)【要約】      （修正有）【課題】安全に且つ無理なくケーブルドラムの方向を転換することのできるケーブルドラムの運搬方向転換装置を提供する。【解決手段】平板と２つの側板１ｂを有し、断面が上方に向けて開放した略コ字状を成す枠体部と、枠体部を底部から支持して、水平方向に回転可能な回転テーブル３と、側板１ｂ間において回動可能に取着され、ケーブルドラム２０のフランジ部を載置して支持する複数本のメインローラ４と、側板１ｂ間において回動可能に取着され、ケーブルドラム２０のフランジ部を載置して支持するとともに、メインローラ４よりも径大に形成されるエンドローラと５、枠体部の平板１ａと側板１ｂ間に取着され、ケーブルドラム２０のフランジ部が接触しても回動可能なサイドローラ６と、枠体部の端面の適所に着脱自在に当接し、メインローラ４及びエンドローラ５上にケーブルドラム２０を搬入、搬出する傾斜面を有する昇降ガイド２とを備える。【選択図】図３
2014009096.tif 000002
【特許請求の範囲】
【請求項１】
ケーブルが巻回される略円柱状の胴部と該胴部の軸方向両端部にそれぞれ配置される円盤状のフランジ部とを有するケーブルドラムの運搬方向転換装置であって、
平板とこの平板の長手方向に対向して立設した２つの側板を有し、その断面が上方に向けて開放した略コ字状を成す枠体部と、
前記枠体部を底部から支持して、水平方向に回転可能な回転テーブルと、
前記枠体部の前記２つの側板間において回動可能に取着され、前記ケーブルドラムのフランジ部を載置して支持する複数本のメインローラと、
前記枠体部の前記２つの側板間において回動可能に取着され、前記ケーブルドラムのフランジ部を載置して支持するとともに、前記メインローラよりも径大に形成されるエンドローラと、
前記枠体部の平板と前記側板間に取着され、前記ケーブルドラムのフランジ部が接触しても回動可能なサイドローラと、
前記枠体部の略コ字状の端面の適所に着脱自在に当接し、前記メインローラ及びエンドローラ上にケーブルドラムを搬入、搬出する傾斜面を有する昇降ガイドと、
を備えたことを特徴とするケーブルドラムの運搬方向転換装置。
【請求項２】
前記枠体部のコ字状部の幅寸法は、前記ケーブルドラムのフランジ部の厚さ寸法の３倍であることを特徴とする請求項１記載のケーブルドラムの運搬方向転換装置。
【請求項３】
前記昇降ガイドの傾斜面の表面には、滑り止めの加工を施してあることを特徴とする請求項１記載のケーブルドラムの運搬方向転換装置。
【請求項４】
前記回転テーブルは、中央部位へ前記枠体部の底部を保持するテーブル面を有するテーブル回転体と、このテーブル回転体を回転可能に支承するボディを有することを特徴とする請求項１に記載のケーブルドラムの運搬方向転換装置。
【請求項５】
前記テーブル回転体は、ベアリングを介して回転可能に前記ボディに支承されていることを特徴とする請求項４に記載のケーブルドラムの運搬方向転換装置。
【請求項６】
前記ボディは、前記テーブル回転体との間にオイルシールとなるシール材を備えることを特徴とする請求項５に記載のケーブルドラムの運搬方向転換装置。
【請求項７】
前記メインローラは、両端部が前記側板に取着された円筒体又は円柱体として形成することを特徴とする請求項１に記載のケーブルドラムの運搬方向転換装置。
【請求項８】
前記枠体部の中程に設置される前記メインローラは、荷重を受けると沈むことを特徴とする請求項１に記載のケーブルドラムの運搬方向転換装置。
【請求項９】
前記メインローラは、圧縮バネで支承されることを特徴とする請求項８に記載のケーブルドラムの運搬方向転換装置。
【請求項１０】
前記回転テーブルの水平方向の回転をロックするロックピンを有することを特徴とする請求項１に記載のケーブルドラムの運搬方向転換装置。
【請求項１１】
前記ロックピンは、前記枠体部の側板をその板厚方向に貫通し、さらに、前記テーブルに形成された穴に嵌入することを特徴とする請求項１０に記載のケーブルドラムの運搬方向転換装置。
【請求項１２】
前記ロックピンは、断面形状が円形のものと楕円形のものとの組み合わせであることを特徴とする請求項１１に記載のケーブルドラムの運搬方向転換装置。
【発明の詳細な説明】
【技術分野】
【０００１】
本発明は、ケーブルドラムの運搬方向転換装置に関するものである。
【背景技術】
【０００２】
ケーブルドラムを配線場所に移動する場合、ケーブルドラムを押せば回転して直進するが、方向転換するには人力で横方向に押して向きを変えるか、大型ドラムの場合はケーブルドラムジャッキで片側を持ち上げて回転させるか重機で吊上げて方向転換している。
【０００３】
このように重いケーブルドラムの方向転換に関し、いくつかの提案がなされている。例えば、ケーブルドラムを運搬及び任意の方向に移動させる台車が提案されている（例えば、特許文献１参照。）。これは、ケーブルドラムのフランジ部分を乗せる積載用架台（台車）と、ケーブルドラムを台車に乗せやすくするための積載用スロープを１組とし、２組で一対としたケーブルドラムの運搬及び方向転換具である。
【０００４】
また、ケーブルドラムのフランジを転がり載せ易くした方向転換器が提案されている（例えば、特許文献２参照。）。これは、金属板で横断面ほぼＵ字形に作った細長い主枠の長さ方向のほぼ中央両側上縁を部分的に逆Ｕ字形に折返して下向きの折返し片を形成するとともに、これら折返し片と主枠側面との間にそれぞれ転子を枢設し、主枠の先端付近に形成した切欠部上における主枠上板にキャスタを下向きに備えて、このキャスタと転子とで主枠を移動可能とするものである。
【先行技術文献】
【特許文献】
【０００５】
【特許文献１】特開平７−１５７２０１号公報
【特許文献２】実開平６−７２９３４号公報
【発明の概要】
【発明が解決しようとする課題】
【０００６】
ケーブルドラムには方向を変える機能が無く、人力で横に押して無理やり向きを変えると作業員の怪我やケーブルドラム損傷のリスクがある。また、大きなケーブルドラムではケーブルジャッキやレッカー等の重機を使用する必要があり、段取りや用品手配に時間とコストがかかるなどの問題点があった。
【０００７】
そこで、本発明は、上記のような課題を解決するためになされたものであり、その目的は、安全に且つ容易にケーブルドラムの向きを変えることのできるケーブルドラムの運搬方向転換装置を提供することにある。
【課題を解決するための手段】
【０００８】
本発明の一態様によれば、ケーブルが巻回される略円柱状の胴部と該胴部の軸方向両端部にそれぞれ配置される円盤状のフランジ部とを有するケーブルドラムの運搬方向転換装置であって、平板とこの平板の長手方向に対向して立設した２つの側板を有し、その断面が上方に向けて開放した略コ字状を成す枠体部と、前記枠体部を底部から支持して、水平方向に回転可能な回転テーブルと、前記枠体部の前記２つの側板間において回動可能に取着され、前記ケーブルドラムのフランジ部を載置して支持する複数本のメインローラと、前記枠体部の前記２つの側板間において回動可能に取着され、前記ケーブルドラムのフランジ部を載置して支持するとともに、前記メインローラよりも径大に形成されるエンドローラと、前記枠体部の平板と前記側板間に取着され、前記ケーブルドラムのフランジ部が接触しても回動可能なサイドローラと、前記枠体部の略コ字状の端面の適所に着脱自在に当接し、前記メインローラ及びエンドローラ上にケーブルドラムを搬入、搬出する傾斜面を有する昇降ガイドと、を備えたことを特徴とするケーブルドラムの運搬方向転換装置が提供される。
【発明の効果】
【０００９】
本発明によれば、ケーブルドラム運搬方向転換装置の下部に回転テーブルを取り付け、ケーブルドラムの片側を乗せて回転させることにより、安全で且つ無理なくケーブルドラムの方向を転換することができる。
【図面の簡単な説明】
【００１０】
【図１】本発明の一実施形態に係るケーブルドラムの運搬方向転換装置を上から見た図である。
【図２】図１に示すケーブルドラムの運搬方向転換装置をＡ−Ａ方向から見た図である。
【図３】図１に示すケーブルドラムの運搬方向転換装置のＢ−Ｂ線での断面図である。
【図４】本実施形態に係るケーブルドラムの運搬方向転換装置の使用状態の一例を示す図である。
【図５】本実施形態に係るケーブルドラムの運搬方向転換装置の使用状態の一例を示す図である。
【図６】本実施形態に係るケーブルドラムの運搬方向転換装置の使用状態の一例を示す図である。
【発明を実施するための形態】
【００１１】
以下、本発明の一実施の形態について、図面を参照して説明する。尚、各図において同一箇所については同一の符号を付すとともに、重複した説明は省略する。
【００１２】
（第１の実施形態）
本実施形態に係るケーブルドラムの運搬方向転換装置は、ケーブルドラムを人力によって押しながら運搬する際に運搬方向を転換するための装置である。ケーブルドラムは、メタルケーブルや光ファイバーケーブル等を巻き付けた胴部と、胴部の軸方向両端部に円盤状のフランジ部とを備えている。ケーブルドラムは、通常木材から成り、両フランジ部の外周面を接地させた状態で転動させることにより運搬することができる。
【００１３】
本実施形態に係る運搬方向転換装置は、ケーブルドラムの１つのフランジ部の外周面を載置するもので、枠体部の下部に回転テーブルを取り付け、ケーブルドラムの向きを水平方向に自在に転換可能とするものである。
【００１４】
図１は、本発明の一実施形態に係るケーブルドラム２０の運搬方向転換装置１０の構成を示す図である。図２は、図１に示すケーブルドラム２０の運搬方向転換装置１０をＡ−Ａ方向から見た図である。また、図３は、図１に示すケーブルドラム２０の運搬方向転換装置１０のＢ−Ｂ線での断面図である。
【００１５】
図１乃至図３に示すように、ケーブルドラム２０の運搬方向転換装置１０は、主として、枠体部１と、昇降ガイド２と、回転テーブル３と、メインローラ４と、エンドローラ５と、サイドローラ６とから構成されている。各構成要素の材質や構造の強度は、重量物であるケーブルドラムからの荷重、衝撃に十分に対応できるように選定、構成される。
【００１６】
枠体部１は、ケーブルドラムの運搬方向転換装置の主要部をなす枠部材であり、ケーブルドラムの１つのフランジ部の外周面を載置した際の重量に耐える構造体である。枠体部１は、平板１ａとこの平板１ａの長手方向に対向して立設した２つの側板１ｂから構成されている。
【００１７】
枠体部１は、言わば側溝に似た形態をなし、枠体部１の断面は、上方に向けて開放した略コ字状となっている。コ字状部にケーブルドラムのフランジ部が位置することになるので、コ字状部の幅寸法は、例えば、フランジ部の厚さ寸法の３倍程度とする。
【００１８】
枠体部１は、その底部が後述する回転テーブル３によって支持されている。
【００１９】
昇降ガイド２は、枠体部１の略コ字状の一端面側の外縁に配置され、ケーブルドラム２０を転がして、本実施形態に係るケーブルドラム運搬方向転換装置１０に載せ易くするためのものである。
【００２０】
昇降ガイド２は、例えば、底面が直角三角形である三角柱の形態が好適であり、使用時には、直角部分を枠体部１の一端面側の外縁に接するように横倒した姿をなして配置される。
【００２１】
昇降ガイド２の傾斜面（スロープ）の表面には、滑り止めの加工を施すのが好適である。例えば、ケーブルドラム２０の縁部が滑り落ちにくくするため、傾斜面（スロープ）に沿って略水平な溝を形成する。
【００２２】
昇降ガイド２の傾斜面の頂部の高さは、後述するメインローラ４が枠体部１に配設される高さと同程度とするのが、好適である。
【００２３】
尚、必要に応じて昇降ガイド２の端面と枠体部１の一端面側との間の固定力を維持して位置ずれが発生しないようにするため、昇降ガイド２の端面と枠体部１の端面間に凹凸嵌合による着脱自在な係止部（図示しない）を設けるのも好適である。
【００２４】
昇降ガイド２は、不使用時あるいはケーブルドラム２０を運搬方向転換装置に載せた後は、方向転換の際の妨げとならないように枠体部１から離間させておくことができる。
【００２５】
回転テーブル３は、枠体部１を底部から支持するための板部材であって、水平方向に回転可能となっている。
【００２６】
回転テーブル３は、例えば、中央部位へ枠体部１の底部を保持するテーブル面（図示しない）を有するテーブル回転体（図示しない）と、このテーブル回転体がベアリング（図示しない）を介して回転可能に支承するボディ（図示しない）で構成することができる。
【００２７】
テーブル回転体は、操作者の枠体部１への力の付与により、回転力を伝達されて回転軸芯を中心に回転自在に成されている。
【００２８】
ボディは、テーブル回転体の外周を覆うように外方に配置される。ボディには、テーブル回転体との間にオイルシールとなるシール材（図示しない）を備えるのが好適である。シール材のリップ部分がテーブル回転体の外周面と接触し、回転時には摺接することで外部からの異物の侵入を防ぐことができるからである。
【００２９】
回転テーブル３の底面は、地面や床面等に置かれる。
【００３０】
メインローラ４は、枠体部１の内側、すなわち２つの側板１ｂ間において回動可能に取着され、ケーブルドラム２０のフランジ部を載せて支持するものである。メインローラ４は、両端部が側板１ｂに取着された円筒体あるいは円柱体として形成することができる。メインローラ４は、例えば、ベアリング（図示しない）を介して回転可能に支承するのが好適である。
【００３１】
メインローラ４は、ケーブルドラム２０の重量を受け止めて支持するため、枠体部１の長手方向に所定の間隔で配置した複数本で構成するのが好適である。例えば、メインローラ４は３本で構成することができる。
【００３２】
複数本のメインローラ４に並列してエンドローラ５が枠体部１の内側、すなわち２つの側板１ｂ間において回動可能に取着される。エンドローラ５は、枠体部１の中でも最外側、すなわち、昇降ガイド２の配置されるサイドの反対側に配設される。エンドローラ５も、両端部が側板１ｂに取着された円筒体あるいは円柱体として形成することができる。
【００３３】
エンドローラ５は、中程に設置されるメインローラ４に比べて外径を大きくするのが好適である。例えば、１．５倍程度に大きな径とする。このように、最外側に設置されるエンドローラ５の径を大きくすることにより、ケーブルドラム２０のフランジ部を載置する際に、はずみのついたケーブルドラム２０が行き過ぎて、ケーブルドラム運搬方向転換装置１０から脱落しない構造となる。
【００３４】
サイドローラ６は、枠体部１の平板１ａと側板１ｂ間で回動可能に取着されている。サイドローラ６は、メインローラ４上に乗り上げたケーブルドラム２０が、枠体部１の短手方向にズレても、ケーブルドラム２０のフランジ部の回転を妨げないようにするものである。サイドローラ６は、円筒体あるいは円柱体として形成することができる。
【００３５】
次に、以上のように構成されたケーブルドラムの運搬方向転換装置１０によるケーブルドラム２０の方向転換について説明する。
【００３６】
まず、昇降ガイド２の端面を枠体部１に接するように配置する。
【００３７】
人力でケーブルドラム２０を押して、一方のフランジ部が昇降ガイド２の傾斜面上を上るように転がして、該フランジ部がメインローラ４上に載置されるまでケーブルドラム２０を押す。
【００３８】
運搬方向転換装置１０のメインローラ４上に一方のフランジ部が載置されたら、ケーブルドラム２０のもう一方のフランジ部を転がすように押すことにより、回転テーブル３が水平回転するとともにメインローラ４も回転し、この運搬方向転換装置１０を支点としてケーブルドラム２０の向きを変える仕組みとなる。操作者が所望に向きに方向転換できたところで、フランジ部を押すのを終了する。
【００３９】
回転テーブル３の回転の際、ケーブルドラム２０が横に動いても、サイドローラ６があるため、円滑にメインローラ４上のフランジ部が回転することができる。また、エンドローラ５の存在により、はずみのついたケーブルドラム２０が行き過ぎて、ケーブルドラムの運搬方向転換装置１０から脱落する虞がない。
【００４０】
（第２の実施形態）
次に、第２の実施形態について説明する。ケーブルドラム２０のフランジ部は、略車輪状になっている。メインローラ４は、載置したケーブルドラム２０のフランジ部を安定的に支持するために、複数本のメインローラ４のうち、枠体部１の中程に設置されるメインローラ４の数本は、荷重を受けると沈むようにするのが好適である。
【００４１】
そこで、第２の実施形態では、中程に設置されるメインローラ４を圧縮バネ（図示しない）で支承する構成とする。このように、複数のメインローラ４がケーブルドラム２０のフランジ部の形状に倣うように接するので、異なるドラムサイズのケーブルドラム２０であっても、安定して支持することができる。
【００４２】
本実施形態によれば、１台のケーブルドラムの運搬方向転換装置１０であっても、大小様々な異なるドラムサイズのケーブルドラム２０に対応することができる。
【００４３】
（第３の実施形態）
次に、第３の実施形態について説明する。
【００４４】
第３の実施形態では、第１又は第２の実施形態の構成に加えて、ロックピン８を設けている。ロックピン８は、回転テーブル３の水平方向の回転をロックするためのものである。
【００４５】
ロックピン８は、枠体部１の側板１ｂをその板厚方向に貫通し、さらに、回転テーブル３のテーブル回転体に形成された穴に嵌入している。
【００４６】
ケーブルドラム２０からケーブルを繰り出して配線作業を行う際、ケーブルドラム２０の運搬方向転換装置１０が水平方向に自由に回転してしまうと、作業者に危険であり、又、ケーブルの繰り出しも円滑にできない。そこで、回転テーブル３の回転をロックし、運搬方向転換装置１０の不必要な動きを規制するものである。
【００４７】
図１に示すようにロックピン８は、例えば２本使用することができるが、いずれの形状も同じである必要はない。すなわち、１本のロックピン８ａは断面形状が円形であり、他の１本のロックピン８ｂは楕円形であってもよい。
【００４８】
（使用形態について）
ケーブルドラムの運搬方向転換装置１０は１台での使用に限定されず、図５、図６に示すように、ケーブルドラム２０の２つのフランジ部を、それぞれ本実施形態に係るケーブルドラムの運搬方向転換装置１０で支持してもよい。このような使用形態によれば、重量物であるケーブルドラム２０の方向転換をわずかな力で行うことができる。
【００４９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５０】
１・・・枠体部
２・・・昇降ガイド
３・・・回転テーブル
４・・・メインローラ
５・・・エンドローラ
６・・・サイドローラ
７・・・スプリング
８・・・ロックピン
１０・・・ケーブルドラムの運搬方向転換装置
２０・・・ケーブルドラム
【図１】
2014009096.tif 000003
【図２】
2014009096.tif 000004
【図３】
2014009096.tif 000005
【図４】
2014009096.tif 000006
【図５】
2014009096.tif 000007
【図６】
2014009096.tif 000008